【手続補正書】
【提出日】令和3年7月29日(2021.7.29)
【手続補正１】
【補正対象書類名】特許請求の範囲
【補正対象項目名】全文
【補正方法】変更
【補正の内容】
【特許請求の範囲】
【請求項１】
生産物の生育を管理する生産物管理システムであって、
生産物の生産拠点に設けられるとともにデータの出力を行う生産拠点側装置と、
管理拠点に設けられるとともに前記データを取得する管理拠点側装置と、
を有し、
前記生産拠点側装置は、前記生産拠点において前記生産物を生育する過程で生成又は入力される管理データを出力し、
前記管理拠点側装置は、前記管理データを取得した場合に、前記管理データ、前記管理データを加工又は検査して生じる関連情報、前記管理データの受信に応じて生成される認証情報、の少なくともいずれか一つを記憶又は出力し、
さらに、前記管理拠点側装置は、
取得した前記管理データが予め設定された基準条件を満たすか否かを判定する判定部と、
前記管理データが前記基準条件を満たしていないと前記判定部が判定した場合に前記生産拠点側装置に対して作業指示を送信する処理部と、
を有し、
前記作業指示は、濾過材の交換や洗浄、ミネラル成分の供給、微生物の供給、水流調整、水産物の体格確認に関する作業の中から選ばれるいずれかの指示を少なくとも含む
生産物管理システム。
【請求項２】
前記管理データは、複数の項目のデータを含み、
前記基準条件は、前記項目ごとに定められ、
前記作業指示は、前記項目ごとに対応付けられた指示を含む、
請求項１に記載の生産物管理システム。
【請求項３】
前記生産拠点側装置は、
前記管理データが予め設定された第２の基準条件を満たすか否かを判定する第２の判定部と、
前記管理データが前記第２の基準条件を満たしていないと前記第２の判定部が判定した場合に前記生産拠点内において作業指示を出力する第２の処理部と、
を有する
請求項１又は請求項２に記載の生産物管理システム。
【請求項４】
生産物の生育を管理する生産物管理システムであって、
生産物の生産拠点に設けられるとともにデータの出力を行う生産拠点側装置と、
管理拠点に設けられるとともに前記データを取得する管理拠点側装置と、
を有し、
前記生産拠点側装置は、前記生産拠点において前記生産物を生育する過程で生成又は入力される管理データを出力し、
前記管理拠点側装置は、前記管理データを取得した場合に、前記管理データ、前記管理データを加工又は検査して生じる関連情報、前記管理データの受信に応じて生成される認証情報、の少なくともいずれか一つを記憶又は出力し、
さらに、前記管理拠点側装置は、
取得した前記管理データが予め設定された基準条件を満たすか否かを判定する判定部と、
前記管理データが前記基準条件を満たしていないと前記判定部が判定した場合に前記生産拠点側装置に対して作業指示を送信する処理部と、
を有し、
前記生産拠点側装置は、
前記管理データが予め設定された第２の基準条件を満たすか否かを判定する第２の判定部と、
前記管理データが前記第２の基準条件を満たしていないと前記第２の判定部が判定した場合に前記生産拠点内において作業指示を出力する第２の処理部と、
を有する
生産物管理システム。
【請求項５】
前記第２の判定部の判定方法は、前記判定部の判定方法と異なる、
請求項３又は請求項４に記載の生産物管理システム。
【請求項６】
生産物の生育を管理する生産物管理システムであって、
生産物の生産拠点に設けられるとともにデータの出力を行う生産拠点側装置と、
管理拠点に設けられるとともに前記データを取得する管理拠点側装置と、
を有し、
前記生産拠点側装置は、前記生産拠点において前記生産物を生育する過程で生成又は入力される管理データを出力し、
前記管理拠点側装置は、前記管理データを取得した場合に、前記管理データ、前記管理データを加工又は検査して生じる関連情報、前記管理データの受信に応じて生成される認証情報、の少なくともいずれか一つを記憶又は出力し、
さらに、前記生産拠点側装置は、
前記管理データが予め設定された第２の基準条件を満たすか否かを判定する第２の判定部と、
前記管理データが前記第２の基準条件を満たしていないと前記第２の判定部が判定した場合に前記生産拠点内において作業指示を出力する第２の処理部と、
を有し、
前記作業指示は、濾過材の交換や洗浄、ミネラル成分の供給、微生物の供給、水流調整、水産物の体格確認に関する作業の中から選ばれるいずれかの指示を少なくとも含む
生産物管理システム。
【請求項７】
前記管理拠点側装置と前記生産拠点側装置との間のネットワークが不通である場合に、前記生産拠点側装置は、前記管理データが前記第２の基準条件を満たすか否かを前記第２の判定部によって判定し、前記作業指示を前記第２の処理部によって出力する、
請求項３から請求項６のいずれか一項に記載の生産物管理システム。
【請求項８】
前記管理データは、複数の項目のデータを含み、
前記第２の基準条件は、前記項目ごとに定められ、
前記作業指示は、前記項目ごとに対応付けられた指示を含む、
請求項３から請求項７のいずれか一項に記載の生産物管理システム。
【請求項９】
前記作業指示は、給餌、給餌量の調整、換水、注水、溶存酸素量の調整、水温調整、水産物の体格確認に関する作業の中から選ばれるいずれかの指示を少なくとも含む
請求項１から請求項８のいずれか一項に記載の生産物管理システム。
【請求項１０】
複数の前記生産拠点側装置を有し、
各々の前記生産拠点側装置は、複数の生産拠点の各々に設けられ、
前記管理拠点側装置は、複数の生産拠点の各々に設けられた前記生産拠点側装置から出力された管理データに対応する情報を一括して記憶又は出力する
請求項１から請求項９のいずれか一項に記載の生産物管理システム。
【請求項１１】
生産物の生育を管理する生産物管理システムであって、
生産物の生産拠点に設けられるとともにデータの出力を行う生産拠点側装置と、
管理拠点に設けられるとともに前記データを取得する管理拠点側装置と、
を有し、
前記生産拠点側装置は、前記生産拠点において前記生産物を生育する過程で生成又は入力される管理データを出力し、
前記管理拠点側装置は、前記管理データを取得した場合に、前記管理データ、前記管理データを加工又は検査して生じる関連情報、前記管理データの受信に応じて生成される認証情報、の少なくともいずれか一つを記憶又は出力し、
複数の前記生産拠点側装置を有し、
各々の前記生産拠点側装置は、複数の生産拠点の各々に設けられ、
前記管理拠点側装置は、複数の生産拠点の各々に設けられた前記生産拠点側装置から出力された管理データに対応する情報を一括して記憶又は出力する
生産物管理システム。
【請求項１２】
前記管理データは、物理的又は化学的パラメータ、作業者の労働条件、作業報告、飼育環境条件の内の少なくとも一つの種類のデータを含む
請求項１から請求項１１のいずれか一項に記載の生産物管理システム。
【手続補正２】
【補正対象書類名】明細書
【補正対象項目名】０００６
【補正方法】変更
【補正の内容】
【０００６】
本発明の一つである生産物管理システムは、
生産物の生育を管理する生産物管理システムであって、
生産物の生産拠点に設けられるとともにデータの出力を行う生産拠点側装置と、
管理拠点に設けられるとともにデータを取得する管理拠点側装置と、
を有し、
生産拠点側装置は、生産拠点において生産物を生育する過程で生成又は入力される管理データを出力し、
管理拠点側装置は、管理データを取得した場合に、管理データ、管理データを加工又は検査して生じる関連情報、管理データの受信に応じて生成される認証情報、の少なくともいずれか一つを記憶又は出力し、
さらに、管理拠点側装置は、
取得した管理データが予め設定された基準条件を満たすか否かを判定する判定部と、
管理データが基準条件を満たしていないと判定部が判定した場合に生産拠点側装置に対して作業指示を送信する処理部と、
を有し、
作業指示は、濾過材の交換や洗浄、ミネラル成分の供給、微生物の供給、水流調整、水産物の体格確認に関する作業の中から選ばれるいずれかの指示を少なくとも含む。
本発明の一つである生産物管理システムは、
生産物の生育を管理する生産物管理システムであって、
生産物の生産拠点に設けられるとともにデータの出力を行う生産拠点側装置と、
管理拠点に設けられるとともにデータを取得する管理拠点側装置と、
を有し、
生産拠点側装置は、生産拠点において生産物を生育する過程で生成又は入力される管理データを出力し、
管理拠点側装置は、管理データを取得した場合に、管理データ、管理データを加工又は検査して生じる関連情報、管理データの受信に応じて生成される認証情報、の少なくともいずれか一つを記憶又は出力し、
さらに、管理拠点側装置は、
取得した管理データが予め設定された基準条件を満たすか否かを判定する判定部と、
管理データが基準条件を満たしていないと判定部が判定した場合に生産拠点側装置に対して作業指示を送信する処理部と、
を有し、
生産拠点側装置は、
管理データが予め設定された第２の基準条件を満たすか否かを判定する第２の判定部と、
管理データが第２の基準条件を満たしていないと第２の判定部が判定した場合に生産拠点内において作業指示を出力する第２の処理部と、
を有する。
本発明の一つである生産物管理システムは、
生産物の生育を管理する生産物管理システムであって、
生産物の生産拠点に設けられるとともにデータの出力を行う生産拠点側装置と、
管理拠点に設けられるとともにデータを取得する管理拠点側装置と、
を有し、
生産拠点側装置は、生産拠点において生産物を生育する過程で生成又は入力される管理データを出力し、
管理拠点側装置は、管理データを取得した場合に、管理データ、管理データを加工又は検査して生じる関連情報、管理データの受信に応じて生成される認証情報、の少なくともいずれか一つを記憶又は出力し、
さらに、生産拠点側装置は、
管理データが予め設定された第２の基準条件を満たすか否かを判定する第２の判定部と、
管理データが第２の基準条件を満たしていないと第２の判定部が判定した場合に生産拠点内において作業指示を出力する第２の処理部と、
を有し、
作業指示は、濾過材の交換や洗浄、ミネラル成分の供給、微生物の供給、水流調整、水産物の体格確認に関する作業の中から選ばれるいずれかの指示を少なくとも含む。
本発明の一つである生産物管理システムは、
生産物の生育を管理する生産物管理システムであって、
生産物の生産拠点に設けられるとともにデータの出力を行う生産拠点側装置と、
管理拠点に設けられるとともにデータを取得する管理拠点側装置と、
を有し、
生産拠点側装置は、生産拠点において生産物を生育する過程で生成又は入力される管理データを出力し、
管理拠点側装置は、管理データを取得した場合に、管理データ、管理データを加工又は検査して生じる関連情報、管理データの受信に応じて生成される認証情報、の少なくともいずれか一つを記憶又は出力し、
複数の生産拠点側装置を有し、
各々の生産拠点側装置は、複数の生産拠点の各々に設けられ、
管理拠点側装置は、複数の生産拠点の各々に設けられた生産拠点側装置から出力された管理データに対応する情報を一括して記憶又は出力する。
本発明の一つである生産物管理システムは、
生産物の生育を管理する生産物管理システムであって、
生産物の生産拠点に設けられるとともにデータの出力を行う生産拠点側装置と、
管理拠点に設けられるとともに前記データを取得する管理拠点側装置と、
を有し、
前記生産拠点側装置は、前記生産拠点において前記生産物を生育する過程で生成又は入力される管理データを出力し、
前記管理拠点側装置は、前記管理データを取得した場合に、前記管理データ、前記管理データを加工又は検査して生じる関連情報、前記管理データの受信に応じて生成される認証情報、の少なくともいずれか一つを記憶又は出力する。